(57)【要約】【課題】スポーツ用ストッキングにおいて、足掛け部がずれるのを確実に防止することができるスポーツ用ストッキングを提供する。【解決手段】ふくらはぎを包む筒状部２の下部の左右に足裏に掛ける環状且つ帯状の足掛け部３が一体に形成されるとともに、足掛け部３に足の甲と足指を出す足指・甲用開口部４と踵を出す踵用開口部５とが対向して前後に形成されているスポーツ用ストッキングにおいて、足掛け部３の左右間に取り付けられかつ足指・甲用開口部４を横切って足の甲に保持されて足掛け部３の踵側への移動を阻止する足掛け部移動阻止バンド１０を備えている。【選択図】図２
0003136175.tif 000002
【実用新案登録請求の範囲】
【請求項１】
ふくらはぎを包む筒状部の下部の左右に足裏に掛ける環状且つ帯状の足掛け部が一体に形成されるとともに、前記足掛け部に足の甲と足指を出す足指・甲用開口部と踵を出す踵用開口部とが対向して前後に形成されているスポーツ用ストッキングにおいて、
前記足掛け部の左右間に取り付けられかつ前記足指・甲用開口部を横切って足の甲に保持されて足掛け部の踵側への移動を阻止する足掛け部移動阻止バンドを備えていることを特徴とするスポーツ用ストッキング。
【請求項２】
足掛け部移動阻止バンドが環状、帯状又はひも状であることを特徴とする請求項１記載のスポーツ用ストッキング。
【請求項３】
足掛け部移動阻止バンドの、足掛け部の左右への取り付け位置は、足掛け部移動阻止バンドが足の甲に保持される高さであることを特徴とする請求項１又は２に記載のスポーツ用ストッキング。
【請求項４】
足掛け部移動阻止バンドが伸縮性を有することを特徴とする請求項１〜３のいずれかに記載のスポーツ用ストッキング。
【請求項５】
足掛け部移動阻止バンドが足掛け部の底の左右から甲に向けて斜めに形成されていることを特徴とする請求項１〜４のいずれかに記載のスポーツ用ストッキング。
【請求項６】
足掛け部移動阻止バンドが、その両端に設けられた面テープにより足掛け部に着脱自在に取り付け可能であることを特徴とする請求項１〜５のいずれかに記載のスポーツ用ストッキング。
【請求項７】
前記足掛け部移動阻止バンドに文字や図柄が表示されていることを特徴とする請求項１〜６のいずれかに記載のスポーツ用ストッキング。 
【考案の詳細な説明】
【技術分野】
【０００１】
本考案は、踝、足指、甲を出し足裏に掛ける足掛け部が形成された、野球、ソフトボール、サッカーなどで装着されるスポーツ用ストッキングにおいて、足掛け部のずれを防止する機能を備えたスポーツ用ストッキングに関する。
【背景技術】
【０００２】
野球において、ユニフォームの着用にあたっては、足にアンダーソックスを履き、その上に野球用ストッキングを履くのが普通である。
【０００３】
図５（ｂ）は従来の野球用ストッキングの側面図、（ａ）は同ストッキングを装着した状態を示す図である。
【０００４】
図５において、ストッキング１は、ふくらはぎを包む筒状部２に続いてその左右から下方へ帯状の足掛け部３が一体に形成されている。足掛け部３は、前後がカットされて開口部４，５が形成された帯状の輪となっており、足掛け部３の底部は足裏に掛けられる。足掛け部３は、足指及び甲を出す足指・甲用開口部４と、この足指・甲用開口部４よりやや上側に大きく開口しており踵を出す踵用開口部５が形成されている。ストッキングは、足掛け部３の前の足指・甲用開口部４から足の甲と足指を出し、後の踵用開口部５から踵を出し、底部を足裏に掛けて装着する。
【０００５】
ストッキング１の足掛け部３の底部は、装着時に足裏と靴との間に挟まれているが、走行運動など足のつま先を基点とした運動にともない足掛け部３の底部が踵の方向にずれることとなる。
【０００６】
また、足のふくらはぎが未発達な子供においては、ストッキングをふくらはぎで充分に固定できないためにストッキングの下へのずり下がりを引き起こし、このずり下がりによって足掛け部のずれが誘発されやすい。また、ストッキングの経年劣化によってもふくらはぎで固定する機能の低下を招き、同様に足掛け部のずれを誘発することとなる。
【０００７】
足掛け部がずれると、靴の中に押し込んで修正したり、あるいはずれの修正のためのタイムにより試合が中断されたりする。さらに、足掛け部のずれにより、他方の靴または他者の靴がずれた足掛け部のずれに引っ掛かって負傷事故が発生した事例もある。また、ストッキングの劣化によっても生じる、足掛け部のずれはストッキングの買い替え期間を短くすることにもなる。
【０００８】
このように、ストッキングの足掛け部は運動中に踵側にずれてしまうため、足掛け部の長さを短くする方法はあるが、ずれの程度を少なくすることは可能であっても、激しい運動を伴う使用中のずれを防止するまでに至ってはいない。
【０００９】
また、特許文献１には、人の足の土踏まず部、足踵をしっかり保持して脱落することがないのみならず、靴の地面保持力を助長し得られる野球用ストッキングとして、本体に連なる下方の足底掛け部相当部とその後方の足踵を被覆する踵相当部及びその前方の土踏まず相当部からなり、踵相当部は本体と同一編み組織であり、土踏まず相当部が本体とは異なる伸縮性のよいゴム編み組織で一体的に編成してなる野球用ストッキングが開示されている。
【特許文献１】実開平０７−００６２１０公報
【考案の開示】
【考案が解決しようとする課題】
【００１０】
前記公報に記載の野球用ストッキングはストッキングの形状が足底掛け部相当部、踵相当部及び土踏まず相当部が一体に形成された形状であるため、従来の帯状の足掛け部を有するストッキングとは見映えが異なるため違和感があり、また、足に作用する運動方向により、動きを拘束する手段のない足底掛け部相当部、踵相当部及び土踏まず相当部はずれるおそれがある。
【００１１】
そこで、本考案は、野球、ソフトボール、サッカーなどで装着されるスポーツ用ストッキングにおいて、足掛け部がずれるのを確実に防止することができるスポーツ用ストッキングを提供するものである。
【課題を解決するための手段】
【００１２】
本考案のスポーツ用ストッキングは、ふくらはぎを包む筒状部の下部の左右に足裏に掛ける環状且つ帯状の足掛け部が一体に形成されるとともに、前記足掛け部に足の甲と足指を出す足指・甲用開口部と踵を出す踵用開口部とが対向して前後に形成されているスポーツ用ストッキングにおいて、前記足掛け部の左右間に取り付けられかつ前記足指・甲用開口部を横切って足の甲に保持されて足掛け部の踵側への移動を阻止する足掛け部移動阻止バンドを備えていることを特徴とする。
【００１３】
足掛け部移動阻止バンドは、足の甲から踵まで一周する環状や、帯状、ひも状などの甲にフィットする機能を有する形状とすることにより、ずれ防止が可能である。
【００１４】
足掛け部移動阻止バンドの足掛け部の左右への取り付け位置は、足の甲に保持される高さにしたり、足裏から足の甲となる箇所までの足掛け部の任意の箇所でよく、あるいは足掛け部の足裏付近の左右から甲により保持されるように斜めに形成したりして、足掛け部の動きを阻止してずれを確実に防止することができる。
【００１５】
また、足掛け部移動阻止バンドは、伸縮性を持たせて、甲にフィットするようにする。ただし、大きな伸縮性はずれの要因となる。
【００１６】
また、足掛け部移動阻止バンドは、その両端に面テープを設けて足掛け部の左右に着脱自在に取り付け可能にしてもよい。
【００１７】
さらに、前記足掛け部移動阻止バンドに名前や所属の文字やロゴマークを含む絵をプリント、刺繍或いは貼り付けにより表示して、見映えをよくすることもできる。
【考案の効果】
【００１８】
本考案は、保持ベルトにより足掛け部が踵方向に移動しないように保持されるので、足掛け部のずれの発生を確実に防止することが可能となる。このずれ防止により、ずれ修正の煩わしさがなくなり、また、ずれ修正のためのタイム要求により試合が中断されることもない。
【００１９】
また、ずれの発生防止により、他方の靴または他者の靴の足掛け部のずれへの引っ掛かりがなくなるので、ひっかかりなどによる事故の発生を予防できる。
【００２０】
また、買い替え期間を短くしている要因である固定機能の低下による足掛け部のずれを防止できるので、ストッキングの買い替え期間を長くすることができ、買い替えの出費を抑える効果もある。
【００２１】
また、前記足掛け部移動阻止バンドに名前や所属の文字やロゴマークを含む絵をプリント、刺繍或いは貼り付けにより表示して、見映えをよくすることにより、氏名やチーム名の確認やメーカ側からのＰＲ効果も期待できる。
【００２２】
さらには、足指・甲用開口部とそれよりやや上側に大きく開口しており踵を出す踵用開口部との相異によりストッキングの前後を把握した装着時における前後を誤った装着を、保持ベルトの位置による前後を把握することで前後を誤った装着を防止できる効果もある。
【考案を実施するための最良の形態】
【００２３】
本考案のスポーツ用ストッキングの実施例について図面を参照しながら説明する。
【実施例１】
【００２４】
図１（ａ）は本考案のストッキングの側面図、（ｂ）は前方からみた同正面図である。
【００２５】
本考案のストッキングは、図５で説明した従来のストッキングと同様に、ふくらはぎを包む筒状部２に続いてその左右から下方に足掛け部３が一体に形成されている。足掛け部３は、前後がカットされて開口部４，５が形成された細い帯状の輪となっており、足掛け部３の底部６は足裏に掛けられる。足掛け部３は、足指７と甲８を出す足指・甲用開口部４と、この足指・甲用開口部４よりやや上側に大きく開口しており踵９を出す踵用開口部５が形成されている。
【００２６】
本考案のストッキング１では、足掛け部３の足指・甲用開口部４を横切って甲８に保持して足掛け部３が踵側へ移動するのを阻止する足掛け部移動阻止バンド１０を足掛け部３に取り付ける。足掛け部移動阻止バンド１０の一方の端部が足掛け部３の右側に、その底部６から７〜８ｃｍの位置に固定し、足掛け部移動阻止バンド１０の他方の端部を同じ高さの対向する左側の位置に取り付ける。
【００２７】
足掛け部移動阻止バンド１０は、足掛け部３を甲８の方向へ僅かに引く弾力性を持たせて甲８にフィットするようにする。
【００２８】
図２は本考案のストッキングを装着した状態を示す図である。
【００２９】
図２において、ストッキング１は、足掛け部移動阻止バンド１０が前方になるように装着され、足掛け部３が伸縮することでフィットする。また、足掛け部移動阻止バンド１０が足の甲８の保持されフィットする。
【００３０】
足掛け部移動阻止バンド１０が甲８に保持された状態で運動を行っても、足掛け部３の踵９側への移動が阻止されるので、足掛け部３が踵９の方向にずれるのを確実に防止することができる。
【実施例２】
【００３１】
図３は本考案の別実施例のストッキングを装着した状態を示す図である。
【００３２】
図３において、本実施例では、足掛け部移動阻止バンド１０は、足掛け部３の底部６から甲８に向けて斜めに形成される。本実施例では、足掛け部３の底部６が足掛け部移動阻止バンド１０により動きが拘束されるので、足掛け部３の底部６の動きを拘束して、足掛け部３のずれを防止することができる。
【実施例３】
【００３３】
図４は本考案の別実施例の着脱可能な足掛け部移動阻止バンドの平面図である。
【００３４】
足掛け部移動阻止バンド１０の両端には、面テープ１１が設けられている。一方、ストッキング１の足掛け部３の左右にはそれぞれ足掛け部移動阻止バンド１０を通す切れ目が形成される。
【００３５】
足掛け部３の左右の切れ目に足掛け部移動阻止バンド１０の面テープ１１をそれぞれ通し、面テープ１１どうしを甲８の上で重ねて係合させることにより足掛け部３に足掛け部移動阻止バンド１０を取り付けることができる。
【００３６】
本実施例の足掛け部移動阻止バンド１０は、足掛け部３に着脱自在であるため、ストッキング１の大小に関係なく甲８にフィットするように取り付けることができる。
【図面の簡単な説明】
【００３７】
【図１】（ａ）は本考案のストッキングの側面図、（ｂ）は前方からみた同正面図である。
【図２】本考案のストッキングを装着した状態を示す図である。
【図３】本考案の別実施例のストッキングを装着した状態を示す図である。
【図４】本考案の別実施例の着脱可能な足掛け部移動阻止バンドの平面図である。
【図５】（ａ）は従来の野球用ストッキングの側面図、（ｂ）は同ストッキングを装着した状態を示す図である。
【符号の説明】
【００３８】
１：ストッキング
２：筒状部
３：足掛け部
４：足指・甲用開口部
５：踵用開口部
６：足掛け部の底部
７：足指
８：甲
９：踵
１０：足掛け部移動阻止バンド
１１：面テープ
【図１】
0003136175.tif 000003
【図２】
0003136175.tif 000004
【図３】
0003136175.tif 000005
【図４】
0003136175.tif 000006
【図５】
0003136175.tif 000007